(57)【特許請求の範囲】
【請求項１】
発熱線が２本のマイクロヒータケーブルの製法であって、
円筒状の1本の金属管、直線状の２本の発熱素線、２つの貫通孔のある複数個の略同じ形状の碍子、１つの発熱素線固定栓、及び直線状の複数本の充填管を、
前記金属管は、鉛直に設置された状態に、
前記碍子は、該碍子の２つの前記貫通孔に其々１本の前記発熱素線が挿通され、前記金属管内に縦積みで挿入された状態に、
前記発熱素線固定栓は、前記発熱素線の下端部を固定するとともに前記金属管の下端開口を塞いだ状態に、
前記発熱素線は、前記発熱素線固定栓と前記碍子によって前記金属管内に鉛直に保持された状態に、
前記充填管は、前記金属管の内側面と前記碍子の外側面との間の空間に、該充填管の下端が前記発熱素線固定栓の直上まで略鉛直に挿入された状態に組立てる組立工程と、
ここで、前記発熱素線は前記金属管と長さが略同じで、前記充填管は該金属管より長く、また、最上端の前記碍子の上面は該金属管の上端と略同じ位置であって、
前記碍子は、無機絶縁材粉末素材に水を混ぜて粘土状にしたものを成形し、乾燥させた後、加熱による残った水分の除去と焼成を行って作られたもので、該碍子の上下の端面は、水平で、前記金属管内で上下隣り合う該碍子の水平な端面と略接しており、該碍子の水平断面の形状は、鉛直方向の位置によって変化せず、該碍子の水平断面の輪郭線が２箇所以上で前記金属管の内側面に略接し、この略接する部分は該金属管の水平断面を該金属管の中心を通る任意の直線で分割した２面のいずれの面にも存在する形状をし、
前記貫通孔は、鉛直で、前記金属管の中心軸に対して対称位置に設けられており、
前記発熱素線固定栓は、前記発熱素線の下端部を、前記金属管に対する水平位置が前記貫通孔と同じ位置において固定しており、
前記組立工程に続いて、前記充填管の上端から無機絶縁材粉末を供給しながら該充填管を上方に引き上げていき、この引き上げの間、該充填管の下端からの該無機絶縁材粉末の落下により前記金属管内面と前記碍子外面と間の空間に該無機絶縁材粉末が充填されていき、該充填管下端が前記金属管上端に達するまで引き上げて、該空間の全てに該無機絶縁材粉末を充填させる無機絶縁材粉末充填工程と、
続いて、前記金属管の外部から径方向に機械的な力を加えて、該金属管、前記発熱素線、前記碍子、及び該金属管内に充填された前記無機絶縁材粉末の一体を縮径させることにより、前記金属管が細径化した金属シース内に、前記碍子が粉砕されて無機絶縁材粉末に戻ったものと該金属管内に充填された前記無機絶縁材粉末とがともに高密度に充填された状態になった無機絶縁材粉末を介在し、前記発熱素線が細径化した発熱線を収容したマイクロヒータケーブルに仕上げる金属管縮径工程と、を有するマイクロヒータケーブルの製法。
【請求項２】
前記碍子の水平方向断面の輪郭線は、前記金属管の中心軸に対して対称位置にある２本の平行な直線と、該２本の直線の左端間及び右端間を其々結び、該金属管内側面に略接する２つの円弧とで囲まれた形状であり、
前記碍子に形成された２つの前記貫通孔は、前記金属管の中心軸に対して対称位置で、かつ該貫通孔の中心軸を結ぶ線が前記碍子の輪郭線の２本の平行な直線と平行になる位置に形成されている請求項１に記載のマイクロヒータケーブルの製法。
【請求項３】
前記碍子の水平方向断面の輪郭線は、前記金属管の中心軸に対して対称位置にある内側に凹んだ弧状の２本の曲線と、該２本の曲線の左端間及び右端間を其々結び、該金属管内側面に略接する２つの円弧とで囲まれた形状であり、
前記碍子に形成された２つの前記貫通孔は、前記金属管の中心軸に対して対称位置で、かつ該貫通孔の中心軸を結ぶ線が前記碍子の輪郭線の内側に凹んだ弧状の曲線の端部を結んだ２本の平行な直線と平行になる位置に形成されている請求項１に記載のマイクロヒータケーブルの製法。
【請求項４】
発熱線が１本のマイクロヒータケーブルの製法であって、
円筒状の１本の金属管、直線状の１本の発熱素線、１つの貫通孔のある複数個の略同じ形状の碍子、１つの発熱素線固定栓、及び直線状の複数本の充填管を、
前記金属管は、鉛直に設置された状態に、
前記碍子は、該碍子の前記貫通孔に１本の前記発熱素線が挿通され、前記金属管内に縦積みで挿入された状態に、
前記発熱素線固定栓は、前記発熱素線の下端部を固定するとともに前記金属管の下端開口を塞いだ状態に、
前記発熱素線は、前記発熱素線固定栓と前記碍子によって前記金属管内に鉛直に保持された状態に、
前記充填管は、前記金属管の内側面と前記碍子の外側面との間の空間に、該充填管の下端が前記発熱素線固定栓の直上まで略鉛直に挿入された状態に組立てる組立工程と、
ここで、前記発熱素線は前記金属管と長さが略同じで、前記充填管は該金属管より長く、また、最上端の前記碍子の上面は該金属管の上端と略同じ位置であって、
前記碍子は、無機絶縁材粉末素材に水を混ぜて粘土状にしたものを成形し、乾燥させた後、加熱による残った水分の除去と焼成を行って作られたもので、該碍子の上下の端面は、水平で、前記金属管内で上下隣り合う該碍子の水平な端面と略接しており、該碍子の水平断面の形状は、鉛直方向の位置によって変化せず、該碍子の水平断面の輪郭線が２箇所以上で前記金属管の内側面に略接し、この略接する部分は該金属管の水平断面を該金属管の中心を通る任意の直線で分割した２面のいずれの面にも存在する形状をし、
前記貫通孔は、鉛直で、前記金属管の中心軸位置に設けられており、
前記発熱素線固定栓は、前記発熱素線の下端部を、前記金属管の中心軸位置で固定しており、
前記組立工程に続いて、前記充填管の上端から無機絶縁材粉末を供給しながら該充填管を上方に引き上げていき、この引き上げの間、該充填管の下端からの該無機絶縁材粉末の落下により前記金属管内面と前記碍子外面と間の空間に該無機絶縁材粉末が充填されていき、該充填管下端が前記金属管上端に達するまで引き上げて、該空間の全てに該無機絶縁材粉末を充填させる無機絶縁材粉末充填工程と、
続いて、前記金属管の外部から径方向に機械的な力を加えて、該金属管、前記発熱素線、前記碍子、及び該金属管内に充填された前記無機絶縁材粉末の一体を縮径させることにより、前記金属管が細径化した金属シース内に、前記碍子が粉砕されて無機絶縁材粉末に戻ったものと該金属管内に充填された前記無機絶縁材粉末とがともに高密度に充填された状態になった無機絶縁材粉末を介在し、前記発熱素線が細径化した発熱線を収容したマイクロヒータケーブルに仕上げる金属管縮径工程と、を有するマイクロヒータケーブルの製法。
【請求項５】
前記碍子の水平方向断面の輪郭線は、前記金属管の中心軸に対して対称位置にある２本の平行な直線と、該２本の直線の左端間及び右端間を其々結び、前記金属管内側面に略接する２つの円弧とで囲まれた形状である請求項４に記載のマイクロヒータケーブルの製法。
【請求項６】
前記碍子の水平方向断面の輪郭線は、前記金属管の中心軸に対して対称位置にある内側に凹んだ弧状の２本の曲線と、該２本の曲線の左端間及び右端間を其々結び、該金属管内側面に略接する２つの円弧とで囲まれた形状である請求項４に記載のマイクロヒータケーブルの製法。
【請求項７】
前記碍子の水平方向断面の輪郭線は、前記金属管の中心軸を軸として互いに角度１２０度回転した位置にある３本の内側に凹んだ弧状曲線と、該弧状曲線の隣り合う末端を結び、前記金属管の内面に略接する３つの円弧とで囲まれた形状である請求項４に記載のマイクロヒータケーブルの製法。
【請求項８】
前記碍子は、無機絶縁材粉末素材に水とバインダーを混ぜて粘土状にしたものを成形し、乾燥させた後、加熱による残った水分と該バインダーの除去ならびに焼成を行って作られたものである請求項１または請求項４に記載のマイクロヒータケーブルの製法。
【請求項９】
前記充填管の上端から無機絶縁材粉末を供給し、該充填管の下端から該無機絶縁材粉末が前記金属管内面と前記碍子外面との間の空間に充填されている間は、加振器で該金属管を外面から加振する請求項１または請求項４に記載のマイクロヒータケーブルの製法。
【発明の詳細な説明】
【技術分野】
【０００１】
本発明は、金属シース内に無機絶縁材粉末を介在させて発熱線を収容したマイクロヒータケーブルの製作方法に関する。
【背景技術】
【０００２】
マイクロヒータケーブルは、金属シースの内にマグネシア、アルミナ等の無機絶縁材粉末を介在させて、１本または２本の発熱線を収容したもので、発熱線の材質としてはニッケルとクロムを主成分とする電気抵抗の大きい合金が一般的に用いられる。
【０００３】
発熱線が２本のマイクロヒータケーブルの断面図を図６に示す。図６（ａ）は長手方向断面図、図６（ｂ）は図６（ａ）のＣ−Ｃ位置の径方向断面図である。図６（ｂ）は見易いように、倍率を図６（ａ）の２倍としている。これらの図に示すようにマイクロヒータケーブル７は、金属シース１０の内に、無機絶縁材粉末２０を介在させて２本の発熱線３０が、金属シース１０の中心軸に対して対称位置に、収容されたものである。
【０００４】
マイクロヒータケーブル７を必要長に切断し、２本の発熱線３０の一方の端部で先端を繋ぐとともに、湿気の無機絶縁材粉末２０への進入による絶縁低下が生じないように金属シース１０の両端にシール機構を付け加えてマイクロヒータとする。発熱線３０の先端が繋がれていない側から電圧を印加して発熱線３０に往復電流を流すことにより、発熱線３０をジュール熱で発熱させてマイクロヒータを昇温させる。
【０００５】
発熱線が１本のマイクロヒータケーブルでは、図６の発熱線３０が、金属シース１０の中心軸位置に１本設けられている。この発熱線が１本のマイクロヒータケーブルについても、マイクロヒータケーブルを必要長に切断し、両端にシール機構を設けてマイクロヒータとするのは、発熱線が２本の場合と同じであるが、この場合は、発熱線の両端に電圧を印加して電流を流すことにより、発熱線をジュール熱で発熱させてマイクロヒータを昇温させる。
【０００６】
マイクロヒータケーブルの従来の製法として、碍子を用いる方法（以下、「碍子製法」という）と、無機絶縁材粉末を充填する方法（以下、「粉末充填製法」という）の２つが広く用いられている。以下、この２つの一般的な製法と特徴を、発熱線が２本のマイクロヒータケーブルの場合について説明する。発熱線が１本の場合も、製法は発熱線の本数を除いて同じである。
【０００７】
先ず、マイクロヒータケーブルの碍子製法について、製作途中の状態を示したのが図７である。図７（ａ）は碍子製法を説明する長手方向断面図、図７（ｂ）は図７（ａ）のＤ−Ｄ位置の径方向断面図で、図７（ｂ）は、見易いように倍率を図７（ａ）の２倍としている。また、金属管１の内面と碍子４０の外面、隣り合う碍子４０の２つの端面、及び碍子４０の貫通孔４０１と発熱素線３の外面は、実際には略接しているが、図７では構成を明示するために少し間隔を空けて描いている。
【０００８】
図７に示すように、外径が図６に示したマイクロヒータケーブル７の仕上がり外径より太い金属管１に、外面が金属管１の内面に略接する複数の碍子４０が、その隣り合う２つの端面が略接するように挿入され、各碍子４０には、発熱素線３の外面に略接する内径で長手方向に貫通する貫通孔４０１が２つ設けられており、各孔に発熱素線３が挿入されている。
【０００９】
碍子４０は、無機絶縁材粉末に水と必要に応じバインダーを混ぜて粘土状にしたものを成型し、乾燥させた後、加熱による残った水分などの除去と焼成を行って作られる。この乾燥及び加熱過程において、碍子４０の変形を皆無にするすることは困難で、碍子４０を長尺にすると曲がりも大きくなって、金属管１に挿入することができない場合が多い。このため、図７に示すように、碍子４０として長さの短いものを複数個用いるのが通常である。
【００１０】
図７のように組み立てられた金属管１、複数の碍子４０及び発熱素線３は、ダイス引きまたはスエージングなどにより縮径され、図６に示したマイクロヒータケーブル７に仕上げられる。図７の金属管１、発熱素線３は縮径されて、其々、図６の金属シース１０、発熱線３０になる。また、図７の碍子４０は縮径により粉砕されて元の無機絶縁材粉末に戻り、さらに高密度に充填された状態になったものが、図６の無機絶縁材粉末２０である。
【００１１】
この碍子製法では、発熱素線３の径方向断面における位置は碍子４０の貫通孔４０１によって定められ、また、発熱素線３の下端が発熱素線固定栓６により固定されていることと発熱素線３の剛性によって碍子４０が周方向に回転することが抑制されていることから、発熱素線３の長手方向にねじれが生じることもない。このように碍子製法は発熱素線３の位置決めを正確に行うことができるため、縮径された後のマイクロヒータケーブル７においても発熱線３０が計画された位置に精度よく配置される。
【００１２】
しかし、碍子製法では複数の碍子４０を使用するため、碍子４０と金属管１との間の隙間、碍子４０の端面間の隙間及び碍子４０の貫通孔４０１と発熱素線３の間の隙間が不可避的に存在し、この存在により縮径後のマイクロヒータケーブル７の無機絶縁材粉末２０の充填密度にはバラツキがあった。無機絶縁材粉末２０の充填密度にバラツキがあると、充填密度が低い部分は無機絶縁材粉末２０の熱伝導率が下がり、マイクロヒータに加工して発熱させた場合、無機絶縁材粉末２０と金属シース１０を通って外部に放出される発熱線３０の熱が少なくなるために、発熱線３０が高充填密度部に比べ高温となる。発熱線３０が高温になると、その寿命を短くする傾向となる。
【００１３】
このように、碍子製法には、無機絶縁材粉末２０の充填密度の場所によるバラツキが、発熱線３０の寿命を低下させる要因となる問題がある。
【００１４】
次に、マイクロヒータケーブルの粉末充填製法について、製作途中の状態を図８に示す。図８（ａ）は粉末充填製法を説明する長手方向断面図で、図８（ｂ）は図８（ａ）の面から周方向に角度９０度回転した位置の長手方向断面図である。図８（ｃ）は図８（ａ）のＥ−Ｅ位置の径方向断面図、図８（ｄ）は図８（ａ）のＦ−Ｆ位置の径方向断面図、そして図８（ｅ）は図８（ａ）のＧ−Ｇ位置の径方向断面図である。図８の（ｃ）から（ｅ）は、見易いように倍率を図８（ａ）および図８（ｂ）の２倍としている。図８において、金属管１の内面と充填管５０の外面、充填管５０の下端部の貫通孔５０１と発熱素線３の外面は、実際には略接しているが、図８では構成を明示するために少し間隔を空けて描いている。
【００１５】
図８に示すように、外径が図６に示したマイクロヒータケーブル７の仕上がり外径より太い金属管１が鉛直に設置され、その内側には、２本の発熱素線３が、その下端部が発熱素線固定栓６によって金属管１の下端に固定されて設置されており、また、充填管５０が挿入されている。
【００１６】
充填管５０の外面は金属管１の内面に略接し、その下端部には、発熱素線３の外面に略接する内径の鉛直方向の２つの貫通孔５０１と、無機絶縁材粉末を注入するための鉛直方向の２つの貫通孔５０２が設けられていて、貫通孔５０１には発熱素線３が挿通されている。
【００１７】
充填管５０は初め、金属管１の下端近くまで挿入され、図示していない上端開口から無機絶縁際粉末２をその内部に供給しながら引き上げられていく。この引き上げの間、充填管５０内に供給された無機絶縁材粉末２は、貫通孔５０２から金属管１内に落下し、金属管１内に無機絶縁材粉末２が充填されていく。またこの充填の際、図示していない加振器で金属管１が外面から加振されることもあり、この振動により無機絶縁材粉末２の充填の均一度を増すことができる。なお、図８は充填管５０が途中まで引き上げられた状態の図である。
【００１８】
充填管５０の下端が金属管１の上端まで引き上げられて、金属管１の内部全体に無機絶縁材粉末２が充填された後、金属管１はその内部の発熱素線３及び無機絶縁粉末２とともに、ダイス引きまたはスエージングなどにより縮径され、図６に示したマイクロヒータケーブル７に仕上げられる。図８の金属管１、発熱素線３は縮径されて、其々、図６の金属シース１０、発熱線３０になり、図８の無機絶縁材粉末２は、縮径により高密度に充填された図６の無機絶縁材粉末２０になる。
【００１９】
無機絶縁材粉末を注入する貫通孔５０２は、図８では鉛直で直線状の貫通孔であるが、この他にも曲がりのある貫通孔や、貫通孔を細くして孔数を増やしたものが用いられることもある。また、特許文献１のＦｉｇ．８には、図８（ｄ）に相当する無機絶縁材粉末の注入部の形状として、図９が掲げられている。図９において、符号６１、６６、及び６７は、其々、図８（ｄ）の充填管５０、発熱素線３を挿通するための貫通孔５０１、及び無機絶縁材粉末２を注入する貫通孔５０２に相当する。これらの貫通孔の形状は図８と図９で異なっているが、機能は同じである。
【００２０】
この粉末充填製法では、縮径前の無機絶縁材粉末２は隙間無く充填されるので、縮径後のマイクロヒータケーブル７の無機絶縁材粉末２０の密度は碍子製法に較べてバラツキが小さく、そのため、無機絶縁材粉末２の充填密度のバラツキが発熱線３０の寿命低下の要因となることが、碍子製法に較べて少ない。
【００２１】
しかし、粉末充填製法では、製作途中における発熱素線３の金属管１内での位置は、発熱素線固定栓６と、充填管５０の貫通孔５０１の２箇所でのみ位置決めされ、充填が終わった後は前者の１箇所になる。加えて、縮径で高密度に充填された状態になるまでは無機絶縁材粉末２に発熱素線３の位置を精度良く保持する機能に乏しいことから、発熱素線３に曲がりまたは位置ずれが生じ、縮径後の発熱線３０にそれらが残ることがある。
【００２２】
発熱線３０の曲がりまたは位置ずれにより、発熱線３０と金属シース１０の間の距離、つまり発熱線３０から金属シース１０までの無機絶縁材粉末２０の厚さが一定でない場合、マイクロヒータに加工して発熱させると、無機絶縁材粉末２０が厚い部分では、無機絶縁材粉末２０と金属シース１０を通って外部に放出される熱が少ないために、無機絶縁材粉末２０が薄い部分に較べて発熱線３０が高温になる。高温になると、碍子製法の無機絶縁材粉末２０の充填密度が不十分な場合と同様、短寿命となることがある。
【００２３】
このように、粉末充填製法には、発熱線３０の曲がりまたは位置ずれが、発熱線３０の寿命を低下させる要因となる問題がある。
【先行技術文献】
【特許文献】
【００２４】
【特許文献１】欧州特許出願公開第３８４７７８号明細書
【発明の概要】
【発明が解決しようとする課題】
【００２５】
マイクロヒータケーブルの製法として、碍子製法と粉末充填製法が広く用いられている。既述のとおり、碍子製法には、発熱線が計画された位置に精度よく配置される長所がある一方、無機絶縁材粉末の充填密度の低い部分が、発熱線の寿命低下の要因となる問題があり、粉末充填製法には、無機絶縁材粉末の充填密度のバラツキが少ない長所がある一方、発熱線の曲がりまたは位置ずれが、発熱線の寿命低下の要因となる問題がある。
【００２６】
実際にこれらの要因によって発熱線の寿命が低下するのは稀ではあるが、マイクロヒータの信頼性をより高めるために、本発明は、無機絶縁材粉末の充填密度の場所によるバラツキが少なく、かつ発熱線の曲がりまたは位置ずれが生じ難いマイクロヒータケーブルの製法を提供して、発熱線の寿命低下を抑制することを目的になされたものである。
【課題を解決するための手段】
【００２７】
上記課題を達成するために、本発明では、金属シース内に無機絶縁材粉末を介在させて２本の発熱線を収容したマイクロヒータケーブルの製法を以下のとおりとした。
円筒状の1本の金属管、直線状の２本の発熱素線、２つの貫通孔のある複数個の略同じ形状の碍子、１つの発熱素線固定栓、及び直線状の複数本の充填管を、
金属管は、鉛直に設置された状態に、
碍子は、その２つの貫通孔に其々１本の発熱素線が挿通され、金属管内に縦積みで挿入された状態に、
発熱素線固定栓は、発熱素線の下端部を固定するとともに金属管の下端開口を塞いだ状態に、
発熱素線は、発熱素線固定栓と碍子によって金属管内に鉛直に保持された状態に、
充填管は、金属管の内側面と碍子の外側面との間の空間に、充填管の下端が発熱素線固定栓の直上まで略鉛直に挿入された状態に組立てる組立工程と、
ここで、発熱素線は金属管と長さが略同じで、充填管は金属管より長く、また、最上端の碍子の上面は金属管の上端と略同じ位置であって、
碍子は、無機絶縁材粉末素材に水を混ぜて粘土状にしたものを成形し、乾燥させた後、加熱による残った水分の除去と焼成を行って作られたもので、碍子の上下の端面は、水平で、金属管内で上下隣り合う碍子の水平な端面と略接しており、碍子の水平断面の形状は、鉛直方向の位置によって変化せず、碍子の水平断面の輪郭線が２箇所以上で金属管の内側面に略接し、この略接する部分は金属管の水平断面を金属管の中心を通る任意の直線で分割した２面のいずれの面にも存在する形状をし、
貫通孔は、鉛直で、金属管の中心軸に対して対称位置に設けられており、
発熱素線固定栓は、発熱素線の下端部を、金属管に対する水平位置が貫通孔と同じ位置において固定しており、
組立工程に続いて、充填管の上端から無機絶縁材粉末を供給しながら充填管を上方に引き上げていき、この引き上げの間、充填管の下端からの無機絶縁材粉末の落下により金属管内面と碍子外面と間の空間に無機絶縁材粉末が充填されていき、充填管下端が金属管上端に達するまで引き上げて、空間の全てに無機絶縁材粉末を充填させる無機絶縁材粉末充填工程と、
続いて、金属管の外部から径方向に機械的な力を加えて、金属管、発熱素線、碍子、及び金属管内に充填された無機絶縁材粉末の一体を縮径させることにより、金属管が細径化した金属シース内に、碍子が粉砕されて無機絶縁材粉末に戻ったものと金属管内に充填された無機絶縁材粉末とがともに高密度に充填された状態になった無機絶縁材粉末を介在し、発熱素線が細径化した発熱線を収容したマイクロヒータケーブルに仕上げる金属管縮径工程と、により製作する。
【００２８】
この本発明による製法では、碍子は、外周が２箇所以上で金属管内面に略接し、その略接する部分は金属管の水平断面をその中心を通る任意の直線で分割した２面のいずれの面にも存在する形状をしているので、碍子は径方向に移動することがなく、また、発熱素線の下端が発熱素線固定栓により固定されていることと発熱素線の持つ剛性によって、碍子が周方向に回転することもない。このように発熱素線の位置決めを、碍子と発熱素線固定栓により正確に行うことができるため、縮径された後のマイクロヒータケーブルにおいても、従来の碍子製法と同様に、発熱線が計画された位置に曲がり及び位置ずれなく配置される。
【００２９】
加えて、碍子と金属管とのスキ間には無機絶縁材粉末が充填され、縮径後の無機絶縁材粉末の充填密度のバラツキは従来の碍子製法に比べて少ない。
【００３０】
以上のように、本発明による製法は、無機絶縁材粉末の充填密度のバラツキを少なくでき、かつ従来の粉末充填製法に見られるような発熱線の曲がりまたは位置ずれが生じ難い効果がある。
【００３１】
なお、２本の発熱線は金属シースの中心線に対して対称の位置に配置されるので、無機絶縁材粉末と金属シースを通って外部に放出される熱は同じで、２本の発熱線に温度差は基本的に生じない。このため、片方だけの発熱線の寿命が低下することがない。また、碍子は複数個を使用するため１つの碍子の長さを短くできるので、碍子製造時の乾燥、加熱時に生じる変形の影響が少なく、金属管への碍子の挿入に困難が生じることがない。
【００３２】
碍子の水平方向断面の具体的な形状に関し、碍子の水平方向断面の輪郭線は、金属管の中心軸に対して対称位置にある２本の平行な直線と、この２本の直線の左端間及び右端間を其々結び、金属管内側面に略接する２つの円弧とで囲まれた形状とし、
碍子に形成された２つの貫通孔は、金属管の中心軸に対して対称位置で、かつ貫通孔の中心軸を結ぶ線が碍子の輪郭線の２本の平行な直線に平行となる位置に設けられている形状とすることができる。この碍子形状では、充填管は、輪郭線の直線部と金属管内面との間の空間に挿入される。
【００３３】
碍子の水平方向断面の具体的な形状としてさらには、上記輪郭線のうちの平行な２本の直線を、内側に凹んだ弧状の２本の曲線としてもよい。
【００３４】
次に、発熱線が１本のマイクロヒータケーブルの製法については、以上説明した本発明による発熱線が２本のマイクロヒータケーブルの製法から、発熱素線を１本とする変更と、碍子の発熱素線を挿通する貫通孔を１つとしてそれを金属管の中心軸位置に設ける変更、及び、発熱素線固定栓における発熱線の固定位置を金属管の中心軸位置で行う変更をすることにより、発熱線が２本のマイクロヒータケーブルの製法を、発熱線が１本のマイクロヒータケーブルの製法に適用することができる。その製法の特徴は、発熱線が２本のマイクロヒータケーブルの製法と同じである。
【００３５】
発熱線が１本のマイクロヒータケーブルの製法における碍子の水平方向断面の具体的な形状としては、碍子の水平方向の輪郭線を、前述した発熱線が２本のマイクロヒータケーブルの碍子の水平方向の輪郭線と同じにすることができ、さらに、碍子の水平方向断面の輪郭線を、金属管の中心軸を軸として互いに角度１２０度回転した位置にある３本の内側に凹んだ弧状曲線と、この弧状曲線の隣り合う末端を結び、金属管の内面に略接する３つの円弧とで囲まれた形状とすることもできる。この碍子形状では、充填管は、輪郭線の内側に凹んだ弧状曲線部と金属管内面との間の空間に挿入される。
【００３６】
碍子の水平方向断面の具体的な輪郭線として、２本の平行線と２本の円弧による輪郭線、２本の内側に凹んだ弧状曲線と２本の円弧による輪郭線、及び３本の内側に凹んだ弧状曲線と３本の円弧による輪郭線を挙げたが、これらの輪郭線はいずれも、２箇所以上で金属管の内面に略接し、その略接する部分は金属管の水平断面をその中心を通る任意の直線で分割した２面のいずれの面にも存在する形状をしているので、碍子は水平方向に移動しない。周方向の回転は、発熱素線の下端の発熱素線固定栓による固定と発熱素線の持つ剛性によって、防止されているのは前述のとおりである。
【００３７】
上記の碍子は、無機絶縁材粉末素材に水とバインダーを混ぜて粘土状にしたものを成形し、乾燥させた後、加熱による残った水分とバインダーの除去ならびに焼成を行って作ることもできる。
【００３８】
発熱線が１本または２本のマイクロヒータケーブルの製法において、充填管の上端から無機絶縁材粉末を供給し、充填管の下端から無機絶縁材粉末が金属管内面と碍子外面との間の空間に充填している間は、加振器で金属管を外面から加振することにより、無機絶縁材粉末の充填密度のバラツキをさらに低下させることができる。
【発明の効果】
【００３９】
従来のマイクロヒータケーブルの一般的な製法において、碍子製法では無機絶縁材粉末の充填密度に場所によるバラツキがあり、また粉末充填製法は発熱線の曲がりまたは位置ずれが生じ易い傾向があったのに対し、本発明のマイクロヒータケーブルの製法によれば、無機絶縁材粉末の充填密度のバラツキが小さく、かつ粉末充填製法のような発熱線の曲がりまたは位置ずれがないマイクロヒータケーブルを製作することができ、これら無機絶縁材粉末の充填密度のバラツキ、発熱線の曲がり及び位置ずれに起因する発熱線の寿命低下を抑制する効果がある。
【図面の簡単な説明】
【００４０】
【図１】（ａ）  本発明の第１の実施形態の長手方向断面図である。                      （ｂ）  図１（ａ）の面から周方向に９０度回転した位置の長手方向断面図である。                                                                            （ｃ）  図１（ａ）のＡ−Ａ位置の径方向断面図である。                        （ｄ）  図１（ａ）のＢ−Ｂ位置の径方向断面図である。
【図２】本発明の第１の実施形態の代替例を説明する径方向断面図である。
【図３】本発明の第２の実施形態を説明する径方向断面図である。
【図４】本発明の第２の実施形態の代替例を説明する径方向断面図である。
【図５】本発明の製法における全体構成例を説明する外形図である。
【図６】（ａ）  発熱線が２本のマイクロヒータケーブルの長手方向断面図である。        （ｂ）  図６（ａ）のＣ−Ｃ位置の径方向断面図である。
【図７】（ａ）  従来の碍子製法を説明する長手方向断面図である。                      （ｂ）  図７（ａ）のＤ−Ｄ位置の径方向断面図である。
【図８】（ａ）  従来の粉末充填製法を説明する長手方向断面図である。                  （ｂ）  図８（ａ）の面から周方向に角度90度回転した位置の長手方向断面図である。                                                                          （ｃ）  図８（ａ）のＥ−Ｅ位置の径方向断面図である。                        （ｄ）  図８（ａ）のＦ−Ｆ位置の径方向断面図である。                        （ｅ）  図８（ａ）のＧ−Ｇ位置の径方向断面図である。
【図９】特許文献１に掲げられている無機絶縁材粉末の注入部の形状図である。
【発明を実施するための形態】
【００４１】
（第１の実施形態）
本発明によるマイクロヒータケーブルの製法の第１の実施形態を図１に沿って説明する。第１の実施形態は発熱線が２本のマイクロヒータケーブルの製法で、図１は、当マイクロヒータケーブルの製作途中の状態を示している。
【００４２】
図１（ａ）は本発明の第１の実施形態の長手方向断面図で、図１（ｂ）は図１（ａ）の面から周方向に９０度回転した位置の長手方向断面図である。図１（ｃ）は図１（ａ）のＡ−Ａ位置の径方向断面図で、図１（ｄ）は図１（ａ）のＢ−Ｂ位置の径方向断面図である。図１（ｃ）と図１（ｄ）は、見易いように倍率を図１（ａ）、図１（ｂ）の２倍としている。
【００４３】
図１において、金属管１の内面と碍子４の外面の円弧状部ｂ、碍子４の貫通孔４１と発熱素線３の外面、及び上下隣り合う碍子４の２つの端面は、実際には略接しているが図１では構成を明示するために少し間隔を空けて描いている。なお、後掲する図２〜図４も同様に、金属管１の内面と碍子４の円弧状部、及び碍子４の貫通孔４１と発熱素線３の外面は、実際には略接しているが構成を明示するために少し間隔を空けて描いている。
【００４４】
発熱線が２本のマイクロヒータケーブルを以下のように製作する。
先ず、円筒状の１本の金属管１、直線状の２本の発熱素線３、２つの貫通孔のある複数個の略同一形状の碍子４、１つの発熱素線固定栓６及び直線状の２本の充填管５を、金属管１は、鉛直に設置された状態に、碍子４は、碍子４に設けられた２つの貫通孔４１に其々１本の発熱素線３が挿通されて金属管１に縦積みで挿入された状態に、発熱素線固定栓６は、発熱素線３の下端部を固定するとともに金属管１の下端開口を塞いだ状態に、発熱素線３は、発熱素線固定栓６と碍子４によって金属管１内に鉛直に保持された状態に、充填管５は、金属管１の内面と碍子４の外面との間の空間に、その下端が発熱素線固定栓６の直上まで略鉛直に挿入された状態に、組み立てる。つまり、図１において、充填管５の下端が熱素線固定栓６の直上まで略鉛直に挿入された状態に組み立てるのである。
【００４５】
ここで、図１には示していないが、発熱素線３は金属管１と長さが略同じで、充填管５は金属管１より長く、また、最上端の碍子４の上面は金属管１の上端と略同じ位置である。
【００４６】
各碍子４は、無機絶縁材粉末素材に水と必要に応じバインダーを混ぜて粘土状にしたものを成型し、乾燥させた後、加熱による残った水分などの除去ならびに焼成を行って作られたものである。碍子４の上下の端面は、水平で、上記の組立て状態では、上下隣り合う碍子４の水平な端面と略接しており、碍子４の水平方向断面の形状は、金属管１の中心軸に対して対称位置にある２本の平行な直線ａと、この２本の直線ａの左端間及び右端間を其々結び、金属管１内面に略接する２つの円弧ｂとで囲まれる輪郭を持ち、貫通孔４１が、金属管１の中心軸に対して対称位置で、かつ貫通孔４１の中心軸を結ぶ線が上記２本の直線ａに平行となる位置に設けられている形状である。また、貫通孔４１の径方向断面の形状は長手方向（鉛直方向）の位置によって変化しない。
【００４７】
充填管５は、碍子４の輪郭の直線ａと金属管１の内面との間の空間に挿入される。また、発熱素線固定栓６は、金属管１に対する水平位置が碍子４の貫通孔４１と同じ位置において、発熱素線３の下端部を固定している。すなわち、発熱素線固定栓６が固定している発熱素線３の下端部の位置と、碍子４の貫通孔４１の位置とは、鉛直方向から見て同じ位置にあり、このために、発熱素線３は碍子４と発熱素線固定線６により鉛直に保持されている。
【００４８】
続いて、充填管５の上端から無機絶縁材粉末２を供給しながら充填管５を上に引き上げていく。この引き上げの間、充填管５の下端からの無機絶縁材粉末２の落下により金属管１の内面と碍子４の外面と間の空間に無機絶縁材粉末２が充填されていく。充填管５の下端が金属管１の上端に達するまで引き上げて、金属管１の内面と碍子４の外面と間の空間の全てに無機絶縁材粉末２を充填する。図１（ｂ）はこの充填管５の引き上げ途中の状態を示したものである。
【００４９】
続いて、金属管１、発熱素線３、碍子４及び充填された無機絶縁材粉末２の一体を、ダイス引き、ローラ引きまたはスエージングなどにより金属管１の外部から機械的な力を径方向に加えて縮径することにより、図６に示したマイクロヒータケーブル７にする。縮径により、金属管１が細径化した金属シース１０内に、碍子４が粉砕されて無機絶縁材粉末に戻ったものと上記の充填された無機絶縁材粉末２がともに高密度に充填された状態になった無機絶縁材粉末２０を介在し、発熱素線３が細径化した発熱線３０を収容したマイクロヒータケーブル７に仕上がる。
【００５０】
横置きで縮径するために金属管１の端部からの無機絶縁材粉末２の外部への散逸が問題にならない場合は、発熱素線固定栓６を外して縮径することでよいが、例えば鉛直に設置した状態で縮径する際の無機絶縁材粉末２の落下等、金属管１の端部からの無機絶縁材粉末２の外部への散逸が問題になる場合は、発熱素線固定栓６を外さずに縮径してもよい。
【００５１】
材質及び寸法の一例を挙げると、金属管１はＳＵＳ３１６を材質とする外径約１７ｍｍ、内径約１４ｍｍの管、発熱素線３はニッケルとクロムの合金を材質とする外径約２．５ｍｍの線、無機絶縁材粉末２の材質をマグネシア、及び、碍子４の無機絶縁材粉末素材の材質をマグネシアとする。これを縮径して、金属シース１０が外径３．８ｍｍ、内径３ｍｍ、及び、発熱線３０が外径０．６ｍｍのマイクロヒータケーブル７とすることができる。また、発熱素線固定栓６は、例えばゴムを材質としたものが使用できる。
【００５２】
本実施形態では、碍子４は、外周の２箇所の円弧ｂにおいて金属管１の内面に略接し、その略接する部分は金属管１の水平断面をその中心を通る任意の直線で分割した２面のいずれの面にも存在するので、碍子４は径方向に移動することがなく、また、発熱素線３の下端が発熱素線固定栓６により固定されていることと発熱素線３の持つ剛性によって、碍子４が周方向に回転することもない。このように、発熱素線３の位置決めを碍子４と発熱素線固定栓６により正確に行うことができるため、縮径された後のマイクロヒータケーブル７においても、発熱線３０が計画された位置に曲がり及び位置ずれなく配置される。
【００５３】
加えて、碍子４と金属管１との間には無機絶縁材粉末２が充填され、縮径後の無機絶縁材粉末２０の充填密度のバラツキは従来の碍子製法に比べて少ない。
【００５４】
以上のように、本実施形態によるマイクロヒータケーブルの製法は、無機絶縁材粉末２０の充填密度を従来の碍子製法より均一にでき、かつ従来の粉末充填製法に見られるような発熱線３０の曲がりや位置ずれが生じ難い効果がある。
【００５５】
なお、２本の発熱線３０は金属シース１０の中心線に対して対称の位置に配置されるので、無機絶縁材粉末２０と金属シース１０を通って外部に放出される熱は同じで、２本の発熱線３０に温度差は基本的に生じない。このため、片方だけの発熱線３０の寿命が低下することがない。また、碍子４は複数個を使用するため１つの碍子４の長さを短くできるので、碍子４の製造時の乾燥、加熱時に生じる変形の影響が少なく、金属管１への碍子４の挿入に困難が生じることがない。
【００５６】
（第１の実施形態の代替例）
第１の実施形態における碍子の水平方向断面の代替形状として、上記碍子４の輪郭の直線ａ、円弧ｂのうちの平行な２本の直線ａを、図２（ａ）に示すように、内側に凹んだ弧状の曲線ｃとしてもよい。図２（ａ）は、この代替形状の碍子を用いた図１のＡ−Ａに相当する位置の径方向断面図であり、長手方向断面の構成は、図１（ａ）、図１（ｂ）と同じである。碍子４ａの水平方向断面の形状を図２（ａ）のようにすることにより、碍子４ａの断面積は減少し、碍子４ａの端面間の隙間が減少するので、マイクロヒータケーブル内の無機絶縁材粉末の充填密度のバラツキはさらに減少する。
【００５７】
図１及び図２（ａ）の実施形態では、充填管５の本数は２本であるが、図２（ｂ）、図２（ｃ）に示すように４本、さらにはそれ以上の本数としてもよい。図２（ｂ）は図１（ｃ）の碍子４を用いて４本の充填管５の位置を示したものであり、図２（ｃ）は図２（ａ）の碍子４ａを用いて４本の充填管５の位置を示したものである。なお、図２（ｂ）、図２（ｃ）もやはり、図１のＡ−Ａに相当する位置の径方向断面図である。
【００５８】
（第２の実施形態）
次に、本発明によるマイクロヒータケーブルの製法の第２の実施形態を説明する。第２の実施形態は発熱線が１本のマイクロヒータケーブル製法である。
【００５９】
本実施形態は、第１の実施形態である発熱線３０が２本のマイクロヒータケーブル７の製法から、発熱素線３を１本とする変更と、碍子４の発熱素線３を挿通する貫通孔４１を１つとしてそれを金属管１の中心軸位置に設ける変更、及び、発熱素線固定栓６における発熱素線３の固定位置を金属管１の中心軸位置で行う変更をしたものである。つまり、第１の実施形態の発熱線３０が２本のマイクロヒータケーブル７の製法からこのように変更したのが、本実施形態の発熱線３０が１本のマイクロヒータケーブルの製法である。この製法の特徴は、発熱素線３と発熱線３０の数が異なる他は第１の実施形態と同じである。
【００６０】
本実施形態における碍子４の水平方向断面形状は図３に示す形状になる。図３は、本発明の第２の実施形態の径方向断面図であり、１つの貫通孔４１に挿通された発熱素線３の図１のＡ−Ａに相当する位置の径方向断面図である。
【００６１】
材質及び寸法の一例を挙げると、金属管１はＳＵＳ３１６を材質とする外径約１７ｍｍ、内径約１４ｍｍの管、発熱素線３はニッケルとクロムの合金を材質とする外径約３．７ｍｍの線、無機絶縁材粉末２の材質をマグネシア、及び、碍子４の無機絶縁材粉末素材の材質をマグネシアとする。これを縮径して、金属シース１０が外径３．８ｍｍ、内径３ｍｍ、及び、発熱線３が外径０．９ｍｍのマイクロヒータケーブルとすることができる。また、第１の実施形態と同様に、発熱素線固定栓６はゴムを材質としたものが使用できる。
【００６２】
（第２の実施形態の代替例）
第２の実施形態の碍子４の水平方向断面の代替形状も第１の実施形態と同様に、碍子４の輪郭の直線ａ、円弧ｂのうちの平行な２本の直線を、図４（ａ）に示すように、内側に凹んだ弧状の曲線としてもよい。図４（ａ）は、代替形状の碍子４ａを用いた図１のＡ−Ａに相当する位置の径方向断面図である。
【００６３】
また、図３及び図４（ａ）の実施形態では、充填管５の本数は２本であるが、図４（ｂ）、図４（ｃ）に示すように４本、さらにはそれ以上の本数としてもよい。図４（ｂ）は図３の碍子４を用いて４本の充填管５の位置を示したものであり、図４（ｃ）は図４（ａ）の碍子４ａを用いて４本の充填管５の位置を示したものである。図４（ｂ）、図４（ｃ）もやはり、代替形状の碍子を用いた図１のＡ−Ａに相当する位置の径方向断面図である。
【００６４】
本実施形態における碍子の水平方向断面の代替形状としては、さらに、図４（ｄ）に示すように、金属管１の中心軸を軸として互いに角度１２０度回転した位置にある３本の内側に凹んだ弧状曲線ｄと、この弧状曲線ｄの隣り合う末端を結び、金属管１の内面に略接する３つの円弧ｅとで囲まれる輪郭を持つ形状とすることもできる。図４（ｄ）は、この代替形状の碍子４ｂを用いた図１のＡ−Ａに相当する位置の径方向断面図である。図４（ｄ）の碍子４ｂの形状では、充填管５は、碍子４ｂの輪郭の内側に凹んだ弧状曲線ｄと金属管１の内面との間の空間に計３本が挿入される。
【００６５】
（その他の共通事項）
碍子４の水平方向断面の形状として、図１以外に、図２（ａ）、図３、図４（ａ）及び図４（ｄ）の形状を示したが、これらの碍子４、４ａ、４ｂの輪郭線はいずれも、２箇所以上で金属管１内面に略接し、その略接する部分は金属管１の水平断面をその中心を通る任意の直線で分割した２面のいずれの面にも存在する形状をしているので、碍子４、４ａ、４ｂは径方向に移動しない。周方向の回転は、発熱素線３の下端の発熱素線固定栓６による固定と発熱素線３の持つ剛性によって、防止されているのは前述のとおりである。
【００６６】
また、第１の実施形態または第２の実施形態において、充填管５の下端から無機絶縁材粉末２を充填している間、図示していない加振器で金属管１を外面から加振することにより、無機絶縁材粉末２の充填の均一度を増すことができる。
【００６７】
図５は、本発明のマイクロヒータケーブルの製法における全体構成例を説明する外形図で、充填管５が２本の場合について図示している。既述のとおり、金属管１の内側には碍子４と発熱素線３が設けられ、下端開口には発熱素線固定栓６が設けられている。金属管１の内面と碍子４の外面との間の空間には充填管５が挿入されており、当充填管５の上端には無機絶縁材粉末２が収められた容器８が設けられている。充填管５の上端から容器８内の無機絶縁材粉末２を供給しつつ、またその無機絶縁材粉末２を充填管５の下端から落下させつつ、充填管５と容器８を１体として、充填管５の下端を、発熱素線固定栓６の直上から金属管１の上端に達するまで引き上げることにより、金属管１の内面と碍子４の外面との間の空間に無機絶縁材粉末２を充填する。
【００６８】
以上が本発明のマイクロヒータケーブルの製法を実施するための形態であるが、本発明は、もとより上記実施形態によって制限を受けるものではなく、本発明の趣旨に適合し得る範囲で適当に変更を加えて実施することも勿論可能であり、それらは何れも本発明の技術的範囲に包含される。
【産業上の利用可能性】
【００６９】
本発明は、金属シース内に無機絶縁材粉末を介在させて発熱線を収容したマイクロヒータケーブルの新たな製法を提供するものである。マイクロヒータケーブルは、前述のように、必要長に切断され、両端にシール機構が設けられて、広く産業界で使用されているマイクロヒータとなる。本発明による製法で作られたマイクロヒータケーブルを用いたマイクロヒータは従来のものより発熱線の寿命が長くなることから、本発明は産業上、マイクロヒータケーブルの製法としての利用可能性を持つ。
【符号の説明】
【００７０】
１    金属管
２    無機絶縁材粉末（マイクロヒータケーブルに縮径前）
３    発熱素線
４    碍子
５    充填管
６    発熱素線固定栓
７    マイクロヒータケーブル
１０  金属シース
２０  無機絶縁材粉末（マイクロヒータケーブルに縮径後）
３０  発熱線
４１  貫通孔
【図１】
0006530702.tif 000002
【図２】
0006530702.tif 000003
【図３】
0006530702.tif 000004
【図４】
0006530702.tif 000005
【図５】
0006530702.tif 000006
【図６】
0006530702.tif 000007
【図７】
0006530702.tif 000008
【図８】
0006530702.tif 000009
【図９】
0006530702.tif 000010